(57)【要約】      （修正有）【課題】高温の処理に対する信頼性が高い貫通電極基板と、高温の処理に対する信頼性が高い貫通電極基板の製造方法を提供する。【解決手段】貫通電極基板であって、第１面１４０ａと、第２面１４０ｂと、第１面と第２面とを貫通する貫通孔１２６と、を有する基板１０４と、貫通孔に設けられる貫通電極１１８と、第１面上に設けられ、貫通電極と電気的に接続される第１配線１２２と、中心線２００ａが貫通孔の中心線と略一致し、孔径が貫通孔の孔径Ｄ１よりも大きい開口部１２４ａを有し、第１面及び第１配線上に設けられる絶縁膜と、絶縁膜上に設けられ、他の開口部１２４ｂを介して、第１配線と電気的に接続される第２配線１１０と、を有する。【選択図】図４
2019067812.tif 000002
【特許請求の範囲】
【請求項１】
第１面と、第２面と、前記第１面と前記第２面とを貫通する貫通孔と、を有する基板と、
前記貫通孔に設けられる貫通電極と、
前記第１面上に設けられ、前記貫通電極と電気的に接続される第１配線と、
中心線が前記貫通孔の中心線と略一致し、孔径が前記貫通孔の孔径よりも大きい開口部を有し、前記第１面及び前記第１配線上に設けられる絶縁膜と、
前記絶縁膜上に設けられ、他の開口部を介して、前記第１配線と電気的に接続される第２配線と、
を有する貫通電極基板。
【請求項２】
前記第１配線の厚さは、前記第２配線の厚さと同等、または、前記第２配線の厚さよりも薄い、請求項１に記載の貫通電極基板。
【請求項３】
前記第１配線の厚さは、１μｍ以下である、請求項１に記載の貫通電極基板。
【請求項４】
前記第１配線と前記絶縁膜とが重なる領域は、前記第１配線と前記貫通電極とが重なる領域の外側である、請求項１に記載の貫通電極基板。
【請求項５】
前記第１配線は、前記第１面と接し、かつ、前記貫通電極とも接している、請求項１に記載の貫通電極基板。
【請求項６】
前記開口部を介して、前記第１配線と電気的に接続される第３配線を、さらに有する、請求項１に記載の貫通電極基板。
【請求項７】
前記第３配線の厚さは、前記第１配線の厚さよりも厚く、前記第２配線の厚さよりも厚い、請求項６に記載の貫通電極基板。
【請求項８】
基板の第１面と、基板の第２面とを貫通する貫通孔を設け、
前記貫通孔を導電体で充填することにより貫通電極を設け、
前記第１面及び前記貫通電極に接するように第１配線を設け、
前記第１面及び前記第１配線に接するように絶縁膜を設け、
前記絶縁膜に、中心線が前記貫通孔の中心線と略一致し、孔径が前記貫通孔の孔径よりも大きい開口部を設け、
前記絶縁膜、前記絶縁膜の他の開口部及び第１配線に接するように第２配線を設ける、
貫通電極基板の製造方法。
【請求項９】
前記第１配線の厚さは、前記第２配線の厚さと同等、または、前記第２配線の厚さよりも薄い、請求項８に記載の貫通電極基板の製造方法。
【請求項１０】
前記第１配線の厚さは、１μｍ以下である、請求項８に記載の貫通電極基板の製造方法。
【請求項１１】
前記第１配線と前記絶縁膜とが重なる領域は、前記第１配線と前記貫通電極とが重なる領域の外側である、請求項８に記載の貫通電極基板の製造方法。
【請求項１２】
前記第１配線は、前記第１面と接し、かつ、前記貫通電極とも接している、請求項８に記載の貫通電極基板の製造方法。
【請求項１３】
前記開口部を介して、前記第１配線と電気的に接続される、第３配線を、さらに設ける、請求項８に記載の貫通電極基板の製造方法。
【請求項１４】
前記第３配線の厚さは、前記第１配線の厚さよりも厚く、前記第２配線の厚さよりも厚い、請求項１３に記載の貫通電極基板の製造方法。
【請求項１５】
第１面と、第２面と、前記第１面と前記第２面とを貫通する貫通孔と、を有する基板と、
前記貫通孔に設けられる貫通電極と、
前記第１面上に設けられ、中心線が前記貫通孔の中心線と略一致し、孔径が前記貫通孔の孔径よりも大きい第１開口部、を有する第１絶縁膜と、
前記第１絶縁膜上に設けられ、前記第１開口部を介して、前記貫通電極と電気的に接続される第１配線と、
前記第１絶縁膜及び前記第１配線上に設けられ、第２開口部及び第３開口部を有する第２絶縁膜と、
前記第２絶縁膜上に設けられ、前記第２開口部を介して、前記第１配線と電気的に接続される第２配線と、
を有する貫通電極基板。
【請求項１６】
前記第１配線の厚さは、前記第２配線の厚さと同等、または、前記第２配線の厚さよりも薄い、請求項１５に記載の貫通電極基板。
【請求項１７】
前記第１配線の厚さは、１μｍ以下である、請求項１５に記載の貫通電極基板。
【請求項１８】
前記第１絶縁膜と前記第１配線とが重なる領域は、前記第１配線と前記貫通電極とが重なる領域の外側である、請求項１５に記載の貫通電極基板。
【請求項１９】
前記第３開口部を介して、前記第１配線と電気的に接続される第３配線を、さらに有する、請求項１５に記載の貫通電極基板。
【請求項２０】
前記第３配線の厚さは、前記第１配線の厚さよりも厚く、前記第２配線の厚さよりも厚い、請求項１９に記載の貫通電極基板。
【発明の詳細な説明】
【技術分野】
【０００１】
本開示は貫通電極基板及びその製造方法に関する。
【背景技術】
【０００２】
近年の携帯情報端末の普及に伴い、半導体部品を高密度に実装する技術が注目されている。半導体部品を高密度に実装する技術は、例えば、半導体部品を３次元的に積層する技術や、半導体部品を高密度な中継基板（配線基板、多層配線基板、貫通電極基板、インターポーザなどとも呼ばれる）上に実装した後にプリント基板と電気的に接続する技術などがある。
【０００３】
例えば、特許文献１には、多層配線基板（インターポーザ）上に半導体チップを実装する技術が開示されている。
【先行技術文献】
【特許文献】
【０００４】
【特許文献１】特開２００９−２６０２５５号公報
【発明の概要】
【発明が解決しようとする課題】
【０００５】
しかしながら、特許文献１に開示されている技術では、多層配線基板に設けられた貫通電極の投影面上に、絶縁膜が設けられている。多層配線基板に、高温での処理を施した場合、貫通電極が熱膨張することによって、絶縁膜にクラックが生じる可能性がある。
【０００６】
このような課題に鑑み、本開示の実施形態における目的の一つは、高温の処理に対する信頼性が高い貫通電極基板を提供することにある。また、本開示の実施形態における目的の一つは、高温の処理に対する信頼性が高い貫通電極基板の製造方法を提供することにある。
【課題を解決するための手段】
【０００７】
本開示の実施形態の一つである貫通電極基板は、第１面と、第２面と、第１面と第２面とを貫通する貫通孔と、を有する基板と、貫通孔に設けられる貫通電極と、第１面上に設けられ、貫通電極と電気的に接続される第１配線と、中心線が貫通孔の中心線と略一致し、孔径が貫通孔の孔径よりも大きい開口部を有し、第１面及び第１配線上に設けられる絶縁膜と、絶縁膜上に設けられ、他の開口部を介して、第１配線と電気的に接続される第２配線と、を有する。
【０００８】
貫通電極基板が有する第１配線の厚さは、第２配線の厚さと同等、または、前記第２配線の厚さよりも薄くてもよい。
【０００９】
貫通電極基板が有する第１配線の厚さは、１μｍ以下であってもよい。
【００１０】
貫通電極基板が有する第１配線と絶縁膜とが重なる領域は、第１配線と貫通電極とが重なる領域の外側であってもよい。
【００１１】
貫通電極基板が有する第１配線は、第１面と接し、かつ、貫通電極とも接していてもよい。
【００１２】
貫通電極基板が有する開口部を介して、第１配線と電気的に接続される第３配線をさらに有していてもよい。
【００１３】
貫通電極基板が有する第３配線の厚さは、第１配線の厚さよりも厚く、第２配線の厚さよりも厚くてもよい。
【００１４】
本開示の実施形態の一つである貫通電極基板の製造方法は、基板の第１面と、基板の第２面とを貫通する貫通孔を設け、貫通孔を導電体で充填することにより貫通電極を設け、第１面及び貫通電極に接するように第１配線を設け、第１面及び第１配線に接するように絶縁膜を設け、絶縁膜に、中心線が貫通孔の中心線と略一致し、孔径が貫通孔の孔径よりも大きい開口部を設け、絶縁膜、絶縁膜の他の開口部及び第１配線に接するように前記第２配線を設ける。
【００１５】
貫通電極基板の製造方法における第１配線の厚さは、第２配線の厚さと同等、または、前記第２配線の厚さよりも薄くてもよい。
【００１６】
貫通電極基板の製造方法における第１配線の厚さは、１μｍ以下であってもよい。
【００１７】
貫通電極基板の製造方法における第１配線と絶縁膜とが重なる領域は、第１配線と貫通電極とが重なる領域の外側であってもよい。
【００１８】
貫通電極基板の製造方法における第１配線は、第１面と接し、かつ、貫通電極と接していてもよい。
【００１９】
貫通電極基板の製造方法における開口部を介して、第１配線と電気的に接続される第３配線を、さらに設けてもよい。
【００２０】
貫通電極基板の製造方法における第３配線の厚さは、第１配線の厚さよりも厚く、第２配線の厚さよりも厚くてもよい。
【００２１】
本開示の実施形態の一つである他の貫通電極基板は、第１面と、第２面と、第１面と第２面とを貫通する貫通孔と、を有する基板と、貫通孔に設けられる貫通電極と、第１面上に設けられ、中心線が貫通孔の中心線と略一致し、孔径が貫通孔の孔径よりも大きい第１開口部、を有する第１絶縁膜と、第１絶縁膜上に設けられ、第１開口部を介して、貫通電極と電気的に接続される第１配線と、第１絶縁膜及び第１配線上に設けられ、第２開口部及び第３開口部を有する第２絶縁膜と、第２絶縁膜上に設けられ、第２開口部を介して、第１配線と電気的に接続される第２配線と、を有する。
【００２２】
上記他の貫通電極基板が有する第１配線の厚さは、第２配線の厚さと同等、または、前記第２配線の厚さよりも薄くてもよい。
【００２３】
上記他の貫通電極基板が有する第１配線の厚さは、１μｍ以下であってもよい。
【００２４】
上記他の貫通電極基板が有する絶縁膜と第１配線とが重なる領域は、第１配線と貫通電極とが重なる領域の外側であってもよい。
【００２５】
上記他の貫通電極基板が有する第３開口部を介して、第１配線と電気的に接続される、第３配線を、さらに有していてもよい。
【００２６】
上記他の貫通電極基板が有する第３配線の厚さは、第１配線の厚さよりも厚く、第２配線の厚さよりも厚くてもよい。
【図面の簡単な説明】
【００２７】
【図１】本開示の一実施形態に係る半導体装置を説明する上面図である。
【図２】図１に示す半導体装置のＡ１−Ａ２線に沿った断面図である。
【図３】本開示の一実施形態に係る半導体装置を説明する平面図である。
【図４】本開示の一実施形態に係る半導体装置のＢ１−Ｂ２線に沿った断面図である。
【図５】本開示の一実施形態に係る貫通電極基板の製造方法を説明するフローチャートである。
【図６】本開示の一実施形態に係る貫通電極基板の製造方法を説明する断面図である。
【図７】本開示の一実施形態に係る貫通電極基板の製造方法を説明する断面図である。
【図８】本開示の一実施形態に係る貫通電極基板の製造方法を説明する断面図である。
【図９】本開示の一実施形態に係る貫通電極基板の製造方法を説明する断面図である。
【図１０】本開示の一実施形態に係る貫通電極基板の製造方法を説明する断面図である。
【図１１】本開示の一実施形態に係る貫通電極基板の製造方法を説明する断面図である。
【図１２】本開示の一実施形態に係る半導体装置を説明する平面図である。
【図１３】本開示の一実施形態に係る半導体装置のＣ１−Ｃ２線に沿った断面図である。
【図１４】本開示の一実施形態に係る貫通電極基板の製造方法を説明するフローチャートである。
【図１５】本開示の一実施形態に係る貫通電極基板の製造方法を説明するフローチャートである。
【図１６】本開示の一実施形態に係る貫通電極基板の製造方法を説明するフローチャートである。
【図１７】本開示の一実施形態に係る貫通電極基板の製造方法を説明するフローチャートである。
【図１８】本開示の一実施形態に係る貫通電極基板の製造方法を説明するフローチャートである。
【図１９】本開示の一実施形態に係る貫通電極基板の製造方法を説明するフローチャートである。
【発明を実施するための形態】
【００２８】
以下、本開示の各実施形態について、図面等を参照し、説明する。但し、本開示は、その要旨を逸脱しない範囲において様々な態様で実施することができ、以下に例示する実施形態の記載内容に限定して解釈されるものではない。
【００２９】
図面は、説明をより明確にするため、実際の態様に比べ、各部の幅、厚さ、形状等について模式的に表される場合があるが、あくまで一例であって、本開示の解釈を限定するものではない。本明細書と各図において、既出の図に関して説明したものと同様の機能を備えた要素には、同一の符号を付して、重複する説明を省くことがある。
【００３０】
本明細書及び特許請求の範囲において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。また、本明細書及び特許請求の範囲において、Ｕとその矢印は断面において上、上方を表し、Ｄとその矢印は断面において下、下方を表すものとする。
【００３１】
本明細書及び特許請求の範囲において、ある構造体と他の構造体が重なるという表現は、これらの構造体の平面視において、少なくとも一部が重なるということを意味する。換言すると、これらの構造体のいずれか一方が他方の上、あるいは下に位置し、かつ、これらの構造体を上面から、あるいは下面から見た場合に、互いに少なくとも一部が重なるということを意味する。
【００３２】
（第１実施形態）
（１−１．半導体装置の構造）
図１に、本開示の実施形態の一つである半導体装置１００の一例を示す上面図を示す。半導体装置１００は、プリント基板１０２、貫通電極基板１０４、集積回路１０６ａ、集積回路１０６ｂ、導電体１０８、及び配線層１１０を有する。
【００３３】
集積回路１０６ａ、及び集積回路１０６ｂは、配線層１１０を介して、互いに電気的に接続されている。また、集積回路１０６ａ、及び集積回路１０６ｂは、配線層１１０及び導電体１０８を介して、貫通電極基板１０４と電気的に接続されている。貫通電極基板１０４は、後述する貫通電極を介してプリント基板１０２と電気的に接続されている。
【００３４】
図１では、４つの配線層１１０に電気的に接続される４つの端子を有する集積回路が、２つ、貫通電極基板１０４に実装される例を示すが、ここで示す例に限定されない。集積回路は、例えば、５つ以上の端子を有していてもよいし、４つ未満の端子を有していてもよい。また、集積回路が貫通電極基板１０４に実装される個数は、３つ以上であってもよいし、１つであってもよい。さらに、貫通電極基板１０４に実装される集積回路は、端子数が異なる集積回路が複数個実装されてもよい。半導体装置の用途によって、適宜、選択することができる。なお、図１では、プリント基板上に貫通電極基板が実装される例を示すが、この例に限定されない。貫通電極基板が実装されるのは、例えば、ガラス基板上でもよいし、ＦＰＣのようなフレキシブルな素材の上でもよい。半導体装置の用途によって、適宜、選択することができる。
【００３５】
図２に、図１に示したＡ１−Ａ２の線に沿った断面図を示す。貫通電極基板１０４は、多層配線層１１６、第１面１４０ａ、第２面１４０ｂ、貫通孔１２６を有するガラス基板１２０、及び、第１面１４０ａと第２面１４０ｂとを貫通する貫通孔に設けられる貫通電極１１８、を有する。多層配線層１１６は第１面１４０ａ上に設けられる。詳細は後述するが、多層配線層１１６が有する配線層及び導電体は貫通電極１１８と電気的に接続されている。貫通電極１１８はバンプ１１４と電気的に接続されている。集積回路１０６ｂは、バンプ１１４を介して、多層配線層１１６と電気的に接続されている。貫通電極基板１０４は、バンプ１０４を介して、プリント基板１０２と電気的に接続されている。なお、第１面１４０ａと第２面１４０ｂとは、貫通電極基板１０４に対して、上と下、又は、表と裏の関係になっている。
【００３６】
図３に、図１に示した領域１１２を拡大した平面図を示す。貫通電極基板１０４の第１面１４０ａ側には、集積回路１０６ｂ、導電体１０８、配線層１１０、配線層１２２、開口部１２４ａ、及び開口部１２４ｂが設けられている。また、図３においては、理解の促進のため、貫通孔１２６を示している。
【００３７】
Ｄ１は、貫通孔１２６の孔径である。Ｄ２は、開口部１２４ａの孔径である。Ｄ３は、導電体１０８のパターン径である。Ｄ４は、開口部１２４ｂの孔径である。Ｄ５は、配線層１１０の円状部のパターン径である。なお、本明細書中において、貫通孔１２６の孔径とは、第１面１４０ａと第２面１４０ｂの孔径のうち、大きい方の直径、と定義する。なお、貫通孔１２６の孔径は、第１面１４０ａと第２面１４０ｂの孔径のうち、必ずしも、大きい方の直径でなくともよい。例えば、貫通孔１２６の孔径は、１４０ａ面に積層する配線層や絶縁層の開口に対しては１４０ａ面の孔径と定義してもよいし、貫通孔１２６の孔径は、１４０ｂ面に積層する配線層や絶縁層の開口に対しては１４０ｂ面の孔径と定義してもよい。また、開口部１２４ａの孔径、及び開口部１２４ｂの孔径とは、開口部のもっとも大きな部分の直径、と定義する。ここで、開口部１２４ａのもっとも小さな部分の直径は、貫通孔１２６の孔径よりも大きい。さらに、導電体１０８のパターン径、及び配線層１１０の円状部のパターン径とは、各パターンを円とみなした場合の、円の直径と定義する。なお、貫通孔１２６の孔が円とみなせない場合、貫通孔１２６の孔の周囲の長さを円周とするような円の直径を、貫通孔１２６の幅、すなわち孔径と定義する。開口部１２４ａ、開口部１２４ｂ、導電体１０８のパターン、及び配線層１１０の円状部のパターンが円とみなせない場合の孔径の定義も、貫通孔１２６の孔径の定義と同様とする。
【００３８】
図４に、図３に示したＢ１−Ｂ２の線に沿った断面図を示す。貫通電極基板１０４は、多層配線層１１６、第１面１４０ａ、第２面１４０ｂ、貫通孔１２６を有するガラス基板１２０、及び、第１面１４０ａと第２面１４０ｂとを貫通する貫通孔に設けられる貫通電極１１８、を有する。多層配線層１１６は第１面１４０ａ上に設けられる。多層配線層１１６は、配線層１２２、無機絶縁膜１３０、導電体１０８、及び配線層１１０を有する。配線層１１０は、開口部１２４ｂを介して、配線層１２２及び貫通電極１１８と電気的に接続されている。同様に、導電体１０８は、開口部１２４ａを介して、配線層１２２及び貫通電極１１８と電気的に接続されている。貫通電極１１８はバンプ１１４と電気的に接続されている。集積回路１０６ｂは、バンプ１１４を介して、多層配線層１１６と電気的に接続されている。貫通電極基板１０４は、バンプ１０４を介して、プリント基板１０２と電気的に接続されている。
【００３９】
無機絶縁膜１３０の開口部１２４ａの孔径Ｄ２は、貫通孔１２６の孔径Ｄ１よりも大きい。無機絶縁膜１３０の開口部１２４ａの孔径Ｄ２は、導電体１０８のパターン径Ｄ３よりも小さい。また、配線層１２２と無機絶縁膜１３０とが重なる領域は、配線層１２２と貫通電極１１８とが重なる領域の外側であって、配線層１２２と無機絶縁膜１３０とが重なる領域と、配線層１２２と貫通電極１１８とが重なる領域とは、互いに重なっていない。すなわち、無機絶縁膜１３０は貫通電極１１８の外側に設けられている。図４においては、側面視において、開口部１２４ａの孔径Ｄ２の直径の中心から上下に伸びる中心線と、貫通孔１２６の孔径Ｄ１の直径の中心から上下に伸びる中心線とは、いずれも中心線２００ａと一致している例を示しているが、この例に限定されない。例えば、側面視において、無機絶縁膜１３０の開口部１２４ａが右方向にずれて、開口部１２４ａの孔径Ｄ２の直径の中心から上下に伸びる中心線が右方向にずれていてもよい。配線層１２２と無機絶縁膜１３０とが重なる領域と、配線層１２２と貫通電極１１８とが重なる領域とは、互いに重ならない範囲において、開口部１２４ａの孔径Ｄ２の直径の中心から上下に伸びる中心線と、貫通孔１２６の孔径Ｄ１の直径の中心から上下に伸びる中心線とは、略一致していればよい。なお、側面視において、開口部１２４ｂの孔径Ｄ４の直径の中心から上下に伸びる中心線は中心線２００ｂである。
【００４０】
配線層１２２は、例えば、第１配線である。配線層１１０は、例えば、第２配線である。導電体１０８は、例えば、第３配線である。開口部１２４ｂは、例えば、他の開口部である。
【００４１】
（１−２．貫通電極基板の製造方法）
図５に、貫通電極基板１０４の製造方法を説明するフローチャートを示す。
【００４２】
貫通電極基板１０４の作製が開始されると、はじめに、ガラス基板１２０の第１面と、第２面とを貫通する貫通孔１２６が開口され、貫通孔１２６が形成される（ステップ４１（Ｓ４１））。
【００４３】
次に、貫通孔１２６を導電体で充填することにより、貫通電極を形成する（ステップ４２（Ｓ４２））。
【００４４】
次に、第１面１４０ａ、及び貫通電極１１８に接するように配線層１２２を設け、第１配線を形成する（ステップ４３（Ｓ４３））。配線層１２２は、貫通電極１２６と各配線を接続するランドと呼ばれる島状の配線でもよいし、各配線層間を接続する配線であってもよい。
【００４５】
次に、第１面１４０ａ、及び配線層１２２に接するように無機絶縁膜１３０を設け、開口部１２４ａ、及び開口部１２４ｂを形成する（ステップ４４（Ｓ４４））。ここで、開口部１２４ａは、貫通孔１２６の中心線と略一致する中心線を有し、貫通孔１２６の孔径よりも大きい孔径を有している。
【００４６】
次に、無機絶縁膜１３０と、開口部１２４ｂによって露出された配線層１２２と接するように、配線層１１０を設け、第２配線を形成する（ステップ４５（Ｓ４５））。ここで、開口部１２４ｂは、無機絶縁膜１３０に形成される他の開口部である。
【００４７】
最後に、無機絶縁膜１３０と、開口部１２４ａによって露出された配線層１２２と接するように、導電体１０８を設け、第３配線を形成する（ステップ４６（Ｓ４６））。ここで、導電体１０８は、露出した配線層１２２の蓋をする役割を有するため、ステップ４６（Ｓ４６）は蓋を形成する工程と呼んでもよい。また、導電体１０８は、露出した配線層１２２の蓋をするだけでなく、例えば、他の配線間を接続する役割を担うように形成されてもよい。
【００４８】
なお、ステップ４５（Ｓ４５）において、配線層１１０と、導電体１０８とを同時に形成するようにしてもよい。配線層１１０と、導電体１０８とを同時に形成することによって、ステップ４６（Ｓ４６））を省略することができるため、作製工程を簡略化することができる。また、配線層１１０と、導電体１０８とを同時に形成することによって、製造コストを低減することができる。
【００４９】
以上のような製造方法によって、貫通電極基板１０４を製造することができる。
【００５０】
図５のフローチャートに示した貫通電極基板１０４の製造方法を、図６乃至図１１を用いて、詳細に説明する。なお、図６乃至図１１は、図４と同様に、図３に示す半導体装置１００の領域１１２を拡大した図面において、貫通電極基板１０４のＢ１−Ｂ２線に沿った断面図を示す。
【００５１】
まず、図６に示すように、ガラス基板１２０に、第１面１４０ａと第２面１４０ｂとを貫通する貫通孔１２６を形成する。
【００５２】
なお、本開示の一実施形態においては、貫通電極基板１０４はガラス基板１２０を用いる例を示すが、この例に限定されない。貫通電極基板１０４は、例えば、石英基板、酸化膜等で表面を絶縁処理したＳｉウェハなどの剛性が高い基板を用いてもよい。なお、ガラス基板１２０の厚さは、特に制限はないが、例えば、３００μｍ以上７００μｍ以下の厚さとすることが好ましい。また、ガラス基板を用いることで、例えば、４００度以上の高温下における加工が可能となる。
【００５３】
貫通孔１２６は、例えば、高出力のレーザ光をガラス基板１２０に照射し、ガラス基板１２０を融解することで、形成される。具体的には、本開示の一実施形態のように、貫通電極基板１０４にガラス基板１４０を用いる場合、貫通孔１２２６は、ＣＯ２レーザ、エキシマレーザ、及びＮｄ：ＹＡＧレーザを使用して、形成される。
【００５４】
また、貫通孔１２６は、ドライエッチングによって形成されてもよい。ドライエッチングは、例えば、反応性イオンエッチング（Ｒｅａｃｔｉｖｅ  Ｉｏｎ  Ｅｔｃｈｉｎｇ；ＲＩＥ）法、ボッシュプロセスを用いたＤＲＩＥ（Ｄｅｅｐ  Ｒｅａｃｔｉｖｅ  Ｉｏｎ  Ｅｔｃｈｉｎｇ）法などが挙げられる。
【００５５】
次に、図７に示すように、貫通孔１２６に貫通電極１１８を形成する。貫通電極１１８は、例えば、めっき法により形成される。例えば、銅（Ｃｕ）を用いて、貫通電極１１８が形成される場合、はじめに、ガラス基板１２０の第１面１４０ａ、第２面１４０ｂ、及び貫通孔１２６にスパッタリング法により銅（Ｃｕ）の薄膜が形成される。次に、上記銅（Ｃｕ）薄膜をシード層として、電解めっき法により貫通孔１２６に銅（Ｃｕ）がめっきされる。このとき、貫通電極１１８は充填めっきされてもよい。最後に、ガラス基板１２０の第１面１４０ａ、及び第２面１４０ｂに形成された銅（Ｃｕ）膜が化学機械研磨（ＣＭＰ：Ｃｈｅｍｉｃａｌ  Ｍｅｃｈａｎｉｃａｌ  Ｐｏｌｉｓｈｉｎｇ）法により除去されることにより、貫通電極１１８が形成される。
【００５６】
また、貫通電極１１８は、はじめに、貫通孔１２６、第１面１４０ａ及び第２面１４０ｂに、導電膜を形成し、次に、フォトリソグラフィー法により、パターニングを行うことで、形成されてもよい。導電膜の形成方法は、例えば、スパッタリング法を用いることができる。貫通電極１１８に用いる材料は、銅（Ｃｕ）以外には、アルミニウム（Ａｌ）、ニッケル（Ｎｉ）、チタン（Ｔｉ）、タングステン（Ｗ）などの金属又はこれらの金属を組み合わせた合金を用いることができる。
【００５７】
続いて、図８乃至及び図１１に示すように、多層配線層１１６を形成する。
【００５８】
まず、図８に示すように、ガラス基板１２０の第１面１４０ａ上、及び、ガラス基板１２０の第１面１４０ａの貫通電極１１８上に、スパッタリング法により、導電膜を形成した後、フォトリソグラフィー法により、パターニングを行うことで、配線層１２２を形成する。配線層１２２に用いる材料は、銅（Ｃｕ）、アルミニウム（Ａｌ）、ニッケル（Ｎｉ）、チタン（Ｔｉ）、タングステン（Ｗ）など、貫通電極１１８の形成時に用いた材料と同様の材料を用いることができる。配線層１２２は、例えば、第１配線である。配線層１２２は、第１面１４０ａ及び貫通電極１１８と接し、貫通電極１１８と電気的に接続される。
【００５９】
配線層１２２は、薄膜であることが好ましい。具体的には、配線層１２２の厚さは、１μｍ以下が好ましい。例えば、貫通電極基板１０４が高温の処理にさらされたとき、貫通電極１１８及び配線層１２２も、高温となる。しかし、配線層１２２は薄膜であることによって、配線層１２２の体積は貫通電極１１８と比較して十分に小さいため、配線層１２２の体積膨張は抑制される。
【００６０】
次に、図９に示すように、第１面１４０ａ、及び配線層１２２上に、無機絶縁膜１３０を形成する。無機絶縁膜１３０の形成方法は、例えば、ＣＶＤ法、スパッタリング法を用いることができる。無機絶縁膜１３０の材料は、例えば、酸化ケイ素や窒化酸化ケイ素、酸化窒化ケイ素、窒化ケイ素などの無機化合物を用いることができる。また、図９においては、無機絶縁膜１３０は、一つの層から形成される例を示すが、この例に限定されない。例えば、無機絶縁膜１３０は、上述の材料のうちの２つを積層し、二層構造としてもよい。また、無機絶縁膜１３０の表面は、化学機械研磨（ＣＭＰ：Ｃｈｅｍｉｃａｌ  Ｍｅｃｈａｎｉｃａｌ  Ｐｏｌｉｓｈｉｎｇ）法により研磨され、平坦化されてもよい。無機絶縁膜１３０を平坦化することによって、この後に形成される膜は、凹凸が無く、密着性が高い表面に形成される。
【００６１】
次に、無機絶縁膜１３０を開口する開口部１２４ａ及び開口部１２４ｂを形成する。開口部１２４ａ及び開口部１２４ｂは、フォトリソグラフィー法により、パターニングを行うことで、形成される。開口部１２４ａ及び開口部１２４ｂは、配線層１２２を露出させる。配線層１２２と無機絶縁膜１３０とが重なる領域は、配線層１２２と貫通電極１１８とが重なる領域の外側であって、配線層１２２と無機絶縁膜１３０とが重なる領域と、配線層１２２と貫通電極１１８とが重なる領域とは、互いに重なっていない。すなわち、無機絶縁膜１３０は貫通電極１１８及び貫通孔１２６の外側に設けられており、開口部１２４ａの孔径は貫通孔１２６の孔径よりも大きい。開口部１２４ｂは、例えば、他の開口部である。
【００６２】
次に、無機絶縁膜１３０上、無機絶縁膜１３０を開口する開口部、及び配線層１２２が露出した部分に、スパッタリング法により、導電膜を形成した後、フォトリソグラフィー法により、パターニングを行うことで、配線層１１０を形成する。配線層１１０に用いる材料は、銅（Ｃｕ）、アルミニウム、ニッケル、チタン、タングステンなど、貫通電極１１８の形成時に用いた材料と同様の材料を用いることができる。配線層１１０の厚さは、配線層１２２の厚さと同等、もしくはそれよりも厚い（配線層１２２の厚さは、配線層１１０の厚さと同等、もしくはそれよりも薄い）。配線層１１０は、無機絶縁膜１３０を開口する開口部、及び配線層１２２が露出した部分と接し、無機絶縁膜１３０を開口する開口部を介して、配線層１２２と電気的に接続される。配線層１１０は、例えば、第２配線であり、集積回路１０６ａと集積回路１０６ｂとを電気的に接続する。配線層１１０の厚さが配線層１２２の厚さと同等の場合、配線層１１０上に形成される絶縁膜が絶縁膜よりも下の層を覆う被覆性が向上し、貫通電極基板１０４の信頼性を向上させることができる。また、配線層１１０の厚さが配線層１２２の厚さと同等の場合、貫通電極基板１０４の多層配線化において、多層配線形成時の平坦性を向上させることができる。さらに、配線層１１０の厚さが配線層１２２の厚さと同等の場合、高温処理によって配線層１１０が熱膨張したとしても、配線層１１０上に形成される絶縁膜に、例えば、クラックが生じるなどの、熱膨張に伴うストレスを低減することができる。また、配線層１１０の厚さが、配線層１２２の厚さよりも厚い場合、配線層１１０を各集積回路間の配線として用いることで、例えば、信号の遅延を低減したり、配線に流す電流量を多くしたりすることができる。
【００６３】
次に、無機絶縁膜１３０上、無機絶縁膜１３０を開口する開口部、及び配線層１２２が露出した部分に、スパッタリング法により、導電膜を形成した後、フォトリソグラフィー法により、パターニングを行うことで、導電体１０８を形成する。導電体１０８に用いる材料は、貫通電極１１８の形成時に用いた材料と同様の材料を用いることができる。なお、導電体１０８は、めっき法により形成されてもよい。導電体１０８は、無機絶縁膜１３０を開口する開口部、及び配線層１２２が露出した部分と接し、無機絶縁膜１３０を開口する開口部を介して、配線層１２２と電気的に接続される。導電体１０８は、例えば、第３配線である。導電体１０８の厚さは、配線層１２２及び配線層１１０の厚さよりも厚くてもよい。導電体１０８の厚さが厚いことによって、例えば、貫通電極基板１０４が高温の処理にさらされたとき、貫通電極が膨張し、配線層１２２にクラックが生じることを抑制できる。
【００６４】
以上の製造方法により、ガラス基板１２０の第１面１４０ａ上に多層配線層１１６を形成し、貫通電極基板１０４を作製することができる。
【００６５】
（１−３．半導体装置の製造方法）
半導体装置１００は、集積回路１０６ａ及び集積回路１０６ｂを、バンプ１１４を介して貫通電極基板１０４が有する配線層１１０に電気的に接続し、さらに、集積回路１０６ａ及び集積回路１０６ｂが実装された貫通電極基板１０４を、バンプ１１４を介してプリント基板１０２と電気的に接続することで、作製される。バンプ１１４は、例えば、半田ボールである。
【００６６】
以上のように、本開示の一実施形態に係る貫通電極基板において、貫通電極と電気的に接続される配線層の上に設けられる無機絶縁膜と、貫通電極及び貫通孔とは重なっておらず、無機絶縁膜は、貫通電極及び貫通孔の外側に設けられている。したがって、本開示によって、貫通電極と無機絶縁膜とは接することなく離れているため、貫通電極が膨張しても、無機絶縁膜におけるクラックの発生を抑制することができる。また、本開示の一実施形態に係る貫通電極基板において、貫通電極と電気的に接続される配線層の厚さは、多層配線層で用いられる他の配線層の厚さよりも薄いため、配線層の体積は貫通電極の体積よりも小さい。したがって、貫通電極配線の作成工程において、基板が高温の熱にさらされ、貫通電極が熱膨張したとしても、本開示によって、貫通電極に電気的に接続される配線層は体積の膨張を抑制することができるため、配線層の上に設けられている無機絶縁膜にクラックが発生することを抑制することができる。
【００６７】
（第２実施形態）
本開示の実施形態では、第１実施形態で述べた半導体装置１００及び貫通電極基板１０４とは別の構造を、図１２乃至図１９を用いて説明する。第１実施形態と同様の構成に関しては説明を省略することがある。
【００６８】
（２−１．半導体装置の構造）
図１２に、図１に示した領域１１２を拡大した平面図を示す。図１２は、図３と比較して、開口部１３２が増えている以外は同じである。ここでは、図３と同様の構成に関しては、説明は省略する。
【００６９】
貫通孔１２６の孔径Ｄ１、開口部１２４ａの孔径Ｄ２、導電体１０８のパターン径Ｄ３、開口部１２４ｂの孔径Ｄ４、配線層１１０の円状部のパターン径Ｄ５は、図３の説明と同様であるから、ここでの説明は省略する。Ｄ６は、開口部１３２の孔径である。本明細書中において、開口部１３２の孔径の定義は、開口部１２４ａの定義と同様であり、ここでの説明は省略する。また、開口部１３２が円とみなせない場合の孔径の定義は、貫通孔１２６の孔径の定義と同様であり、ここでの説明は省略する。
【００７０】
図１３に、図１２に示したＣ１−Ｃ２の線に沿った断面図を示す。図１３は、図４と比較して、無機絶縁膜１３４と、開口部１３２とが増えている以外は同じである。ここでは、図４と同様の構成に関しては、説明は省略する。多層配線層１１６は、図４において説明した構成に加えて、無機絶縁膜１３４を有する。配線層１２２は、無機絶縁膜１３４を開口する開口部１３２を介して、貫通電極１１８と電気的に接続されている。配線層１１０は、無機絶縁層１３０を開口する開口部１２４ｂを介して、配線層１２２と電気的に接続されている。したがって、配線層１１０は、貫通電極１１８と電気的に接続されている。同様に、導電体１０８は、無機絶縁層１３０を開口する開口部１２４ａを介して、配線層１２２と電気的に接続され、貫通電極１１８とも電気的に接続されている。なお、図１３においては、開口部１３２の孔径Ｄ６は開口部１２４ａの孔径Ｄ２よりも小さい例を示すが、開口部１３２の孔径Ｄ６は開口部１２４ａの孔径Ｄ２と略同じ大きさでもよいし、開口部１３２の孔径Ｄ６は開口部１２４ａの孔径Ｄ２より大きくてもよい。
【００７１】
（２−２．貫通電極基板の製造方法）
図１４に、貫通電極基板１０４の製造方法を説明するフローチャートを示す。
【００７２】
貫通電極基板１０４の作製が開始されると、ステップ５１（Ｓ５１）及びステップ５２（Ｓ５２）が行われる。ステップ５１（Ｓ５１）及びステップ５２（Ｓ５２）は、図５において説明したステップ４１（Ｓ４１）及びステップ４２（Ｓ４２）と同様であるから、ここでの説明は省略する。
【００７３】
次に、第１面１４０ａに接するように無機絶縁膜１３４を設け、開口部１３２を形成する（ステップ５３（Ｓ５３））。ここで、開口部１３２は、貫通孔１２６の中心線と略一致する中心線を有し、貫通孔１２６の孔径よりも大きい孔径を有している。無機絶縁膜１３４は第１絶縁膜である。開口部１３２は第１開口部である。
【００７４】
次に、無機絶縁膜１３４、開口部１３２によって露出された第１面１４０ａ及び貫通電極１１８に接するように配線層１２２を設け、第１配線を形成する（ステップ５４（Ｓ５４））。配線層１２２は、貫通電極１２６と各配線を接続するランドと呼ばれる島状の配線でもよいし、各配線層間を接続する配線であってもよい。
【００７５】
次に、無機絶縁膜１３４、及び配線層１２２に接するように無機絶縁膜１３０を設け、開口部１２４ａ、及び開口部１２４ｂを形成する（ステップ５５（Ｓ５５））。ここで、開口部１２４ａは、開口部１３２及び貫通孔１２６の中心線と略一致する中心線を有し、貫通孔１２６の孔径よりも大きい孔径を有している。無機絶縁膜１３０は、第２絶縁膜である。開口部１２４ｂは第２開口部である。開口部１２４ａは第３開口部である。
【００７６】
次に、ステップ５６（Ｓ５６）が行われ、最後にステップ５７（Ｓ５７）が行われる。ステップ５６（Ｓ５６）及びステップ５７（Ｓ５７）は、図５において説明したステップ４５（Ｓ４５）及びステップ４６（Ｓ４６）と同様であるから、ここでの説明は省略する。
【００７７】
なお、ステップ５６（Ｓ５６）において、配線層１１０と、導電体１０８とを同時に形成するようにしてもよい。配線層１１０と、導電体１０８とを同時に形成することによって、ステップ５７（Ｓ５７））を省略することができるため、作製工程を簡略化することができる。また、配線層１１０と、導電体１０８とを同時に形成することによって、製造コストを低減することができる。なお、配線層１１０は、第２配線である。導電体１０８は第３配線であるが、第２配線であってもよい。
【００７８】
以上のような製造方法によって、貫通電極基板１０４を製造することができる。
【００７９】
図１４のフローチャートに示した貫通電極基板１０４の製造方法を、図６、図７、図１５乃至図１９を用いて、詳細に説明する。なお、図１５乃至図１９は、図１２と同様に、図３に示す半導体装置１００の領域１１２を拡大した図面において、貫通電極基板１０４のＣ１−Ｃ２線に沿った断面図を示す。また、図６及び図７は、貫通電極基板１０４のＢ１−Ｂ２線に沿った断面図を示しているが、ここでは、貫通電極基板１０４のＣ１−Ｃ２線に沿った断面図に置き換えて説明される。
【００８０】
はじめに、図６に示すように、ガラス基板１２０に、第１面１４０ａと第２面１４０ｂとを貫通する貫通孔１２６を形成する。次に、図７に示すように、貫通孔１２６に貫通電極１１８を形成する。図６及び図７は、第１実施形態において説明されているため、ここでの説明は省略する。
【００８１】
続いて、図１５乃至及び図１９に示すように、多層配線層１１６を形成する。
【００８２】
図１５に示すように、第１面１４０ａに接するように無機絶縁膜１３４を形成する。無機絶縁膜１３４の形成方法は、例えば、ＣＶＤ法、スパッタリング法を用いることができる。無機絶縁膜１３４の材料は、例えば、酸化ケイ素や窒化酸化ケイ素、酸化窒化ケイ素、窒化ケイ素などの無機化合物を用いることができる。また、図１５においては、無機絶縁膜１３４は、一つの層から形成される例を示すが、この例に限定されない。例えば、無機絶縁膜１３４は、上述の材料のうちの２つを積層し、二層構造としてもよい。また、無機絶縁膜１３４の表面は、化学機械研磨（ＣＭＰ：Ｃｈｅｍｉｃａｌ  Ｍｅｃｈａｎｉｃａｌ  Ｐｏｌｉｓｈｉｎｇ）法により研磨され、平坦化されてもよい。無機絶縁膜１３４を平坦化することによって、この後に形成される膜は、凹凸が無く、密着性が高い表面に形成される。
【００８３】
次に、無機絶縁膜１３４を開口する開口部１３２を形成する。開口部１３２は、フォトリソグラフィー法により、パターニングを行うことで、形成される。開口部１３２は、貫通電極１１８を露出させる。開口部１３２は、例えば、第１開口部である。無機絶縁膜１３４は貫通電極１１８及び貫通孔１２６とは重なっておらず、貫通電極１１８及び貫通孔１２６の外側に設けられている。
【００８４】
次に、図１６に示すように、無機絶縁膜１３４、第１面１４０ａ、及び貫通電極１１８上に、配線層１２２を形成する。配線層１２２の形成方法及び材料は、図８の説明と同様であるから、ここでの説明は省略する。配線層１２２は、例えば、第１配線である。配線層１２２は、無機絶縁膜１３４、第１面１４０ａ及び貫通電極１１８と接し、開口部１３２を介して、貫通電極１１８と電気的に接続される。配線層１２２と無機絶縁膜１３４とが重なる領域は、配線層１２２と貫通電極１１８とが重なる領域の外側であって、配線層１２２と無機絶縁膜１３４とが重なる領域と、配線層１２２と貫通電極１１８とが重なる領域とは、互いに重なっていない。
【００８５】
第２実施形態においても、第１実施形態と同様に、配線層１２２は、薄膜であることが好ましい。具体的には、配線層１２２の厚さは、１μｍ以下が好ましい。例えば、貫通電極基板１０４が高温の処理にさらされたとき、貫通電極１１８及び配線層１２２も高温となる。しかし、配線層１２２は薄膜であることによって、配線層１２２の体積は貫通電極１１８と比較して十分に小さいため、配線層１２２の体積膨張は抑制される。
【００８６】
次に、図１７に示すように、無機絶縁膜１３４、及び配線層１２２上に、無機絶縁膜１３０を形成する。無機絶縁膜１３０の形成方法及び材料、図９の説明と同様であるから、ここでの説明は省略する。また、無機絶縁膜１３０を開口する開口部１２４ａ及び開口部１２４ｂの形成方法も、図９の説明と同様であるから、ここでの説明は省略する。無機絶縁膜１３０は、例えば、第２絶縁膜である。また、開口部１２４ａは第３開口部であり、開口部１２４ｂは第１開口部である。
【００８７】
開口部１２４ａ及び開口部１２４ｂは、配線層１２２を露出させる。無機絶縁膜１３０と配線層１２２とが重なる領域は、配線層１２２と貫通電極１１８とが重なる領域の外側であって、無機絶縁膜１３０と配線層１２２とが重なる領域と、配線層１２２と貫通電極１１８とが重なる領域とは、互いに重なっていない。すなわち、無機絶縁膜１３０は貫通電極１１８及び貫通孔１２６の外側に設けられている。
【００８８】
次に、図１８に示すように、無機絶縁膜１３０上、無機絶縁膜１３０を開口する開口部１２４ａ及び開口部１２４ｂ、及び配線層１２２が露出した部分に、スパッタリング法により、導電膜を形成した後、フォトリソグラフィー法により、パターニングを行うことで、配線層１１０を形成する。配線層１１０の材料は、図１０の説明と同様であるから、ここでの説明は省略する。
【００８９】
第２実施形態においても、第１実施形態と同様に、配線層１１０の厚さは、配線層１２２の厚さと同等、もしくはそれよりも厚い（配線層１２２の厚さは、配線層１１０の厚さと同等、もしくはそれよりも薄い）。配線層１１０は、無機絶縁膜１３０を開口する開口部１２４ｂ、及び配線層１２２が露出した部分と接し、無機絶縁膜１３０を開口する開口部１２４ｂを介して、配線層１２２と電気的に接続される。配線層１１０は、例えば、第２配線であり、集積回路１０６ａと集積回路１０６ｂとを電気的に接続する。配線層１１０の厚さが配線層１２２の厚さと同等の場合、配線層１１０上に形成される絶縁膜が絶縁膜よりも下の層を覆う被覆性が向上し、貫通電極基板１０４の信頼性を向上させることができる。また、配線層１１０の厚さが配線層１２２の厚さと同等の場合、貫通電極基板１０４の多層配線化において、多層配線形成時の平坦性を向上させることができる。さらに、配線層１１０の厚さが配線層１２２の厚さと同等の場合、高温処理によって配線層１１０が熱膨張したとしても、配線層１１０上に形成される絶縁膜に、例えば、クラックが生じるなどの、熱膨張に伴うストレスを低減することができる。また、配線層１１０の厚さが、配線層１２２の厚さよりも厚い場合、配線層１１０を各集積回路間の配線として用いることで、例えば、信号の遅延を低減したり、配線に流す電流量を多くしたりすることができる。
【００９０】
最後に、図１９に示すように、無機絶縁膜１３０上、無機絶縁膜１３０を開口する開口部１２４ａ、及び配線層１２２が露出した部分に、スパッタリング法により、導電膜を形成した後、フォトリソグラフィー法により、パターニングを行うことで、導電体１０８を形成する。導電体１０８の材料及び、他の形成方法は、図１１の説明と同様であるから、ここでの説明は省略する。
【００９１】
導電体１０８は、無機絶縁膜１３０を開口する開口部１２４ａ、及び配線層１２２が露出した部分と接し、無機絶縁膜１３０を開口する開口部１２４ａを介して、配線層１２２と電気的に接続される。導電体１０８は、例えば、第３配線である。また、開口部１２４ａは第３開口部である。第２実施形態においても、第１実施形態と同様に、導電体１０８の厚さは、配線層１２２及び配線層１１０の厚さよりも厚くてもよい。導電体１０８の厚さが厚いことによって、例えば、貫通電極基板１０４が高温の処理にさらされたとき、貫通電極が膨張し、配線層１２２にクラックが生じることを抑制できる。
【００９２】
以上の製造方法により、ガラス基板１２０の第１面１４０ａ上に多層配線層１１６を形成し、貫通電極基板１０４を作製することができる。
【００９３】
（１−３．半導体装置の製造方法）
半導体装置１００は、貫通電極基板１０４に、集積回路１０６ａ及び集積回路１０６ｂを実装した後に、集積回路を実装した貫通電極基板をプリント基板１０２に実装することで、作製される。半導体装置１００の具体的な製造方法は、第１実施形態で説明した方法と同様であるから、ここでの説明は省略する。
【００９４】
以上のように、本開示の一実施形態に係る貫通電極基板において、貫通電極と電気的に接続される配線層の下に設けられる無機絶縁膜と、貫通電極及び貫通孔とは重なっておらず、無機絶縁膜は、貫通電極及び貫通孔の外側に設けられている。したがって、本開示によって、貫通電極と無機絶縁膜とは接することなく離れているため、貫通電極が膨張しても、無機絶縁膜におけるクラックの発生を抑制することができる。
【００９５】
本開示の実施形態として上述した各実施形態は、相互に矛盾しない限りにおいて、適宜組み合わせて実施することができる。また、各実施形態を基にして、当業者が適宜構成要素の追加、削除もしくは設計変更を行ったものも、本開示の要旨を備えている限り、本開示の範囲に含まれる。
【００９６】
また、上述した各実施形態によりもたらされる作用効果とは異なる他の作用効果であっても、本明細書の記載から明らかなもの、又は、当業者において容易に予測し得るものについては、当然に本開示によりもたらされるものと理解される。
【符号の説明】
【００９７】
１００：半導体装置、１０２：プリント基板、１０４：配線基板（貫通電極基板）、１０６ａ：集積回路、１０６ｂ：集積回路、１０８：導電体、１１０：配線層、１１２：領域、１１４：バンプ、１１６：多層配線層、１１８：貫通電極、１２０：ガラス基板、１２２：配線層、１２４ａ：開口部、１２４ｂ：開口部、１２６：貫通孔、１３０：無機絶縁膜、１３２：開口部、１３４：無機絶縁膜、１４０ａ：第１面、１４０ｂ：第２面、２００ａ：中心線、２００ｂ：中心線
【図１】
2019067812.tif 000003
【図２】
2019067812.tif 000004
【図３】
2019067812.tif 000005
【図４】
2019067812.tif 000006
【図５】
2019067812.tif 000007
【図６】
2019067812.tif 000008
【図７】
2019067812.tif 000009
【図８】
2019067812.tif 000010
【図９】
2019067812.tif 000011
【図１０】
2019067812.tif 000012
【図１１】
2019067812.tif 000013
【図１２】
2019067812.tif 000014
【図１３】
2019067812.tif 000015
【図１４】
2019067812.tif 000016
【図１５】
2019067812.tif 000017
【図１６】
2019067812.tif 000018
【図１７】
2019067812.tif 000019
【図１８】
2019067812.tif 000020
【図１９】
2019067812.tif 000021